(57)【要約】【課題】ＲＡＭの面積を少なく抑えることが可能な液晶駆動装置を提供することを目的とする。【解決手段】変換回路２は、ＲＧＢデータをＹＵＶデータに変換し、４画素毎にＹＵＶデータのＵ成分およびＶ成分を共通化する。そして、変換回路２は、４画素毎に、各画素のＹ成分と共通化したＵ成分およびＶ成分をＲＡＭ３に記憶させる。ＲＡＭ３に記憶させる領域は１画面分のデータ毎に切り替える。第１逆変換回路４ａおよび第２逆変換回路４ｂは、各記憶領域１１，１２から入力されたＹＵＶデータをＲＧＢデータに変換してオーバードライブ回路６に出力する。オーバードライブ回路６は、第１逆変換回路４ａおよび第２逆変換回路４ｂから入力されるＲＧＢデータを用いてオーバードライブを行う。【選択図】図５
2008076990.tif 000002
【特許請求の範囲】
【請求項１】
画像を表すＲＧＢデータを用いて液晶表示パネルを駆動する液晶駆動装置であって、
画像データを記憶する記憶手段と、
ＲＧＢデータをＹＵＶデータに変換し、複数ｍ画素分（ｍは２以上の整数）のＹＵＶデータ毎にＵ成分およびＶ成分を共通化し、Ｕ成分およびＶ成分を共通化したｍ画素分のＹＵＶデータの各Ｙ成分と共通化したＵ成分およびＶ成分とを記憶手段に記憶させる変換手段と、
記憶手段に記憶されたＹ成分と共通化されたＵ成分およびＶ成分をＲＧＢデータに変換する逆変換手段とを備えた
ことを特徴とする液晶駆動装置。
【請求項２】
現在の画像データと前の画像データとを比較して、現在の画像データの方が低輝度となる場合には当該現在の画像データをより低輝度になるように補正し、現在の画像データの方が高輝度となる場合には当該現在の画像データをより高輝度になるように補正するオーバードライブ手段を備え、
記憶手段は、画像データを記憶する第１記憶領域および第２記憶領域を含み、
変換手段は、ｍ画素分のＹＵＶデータの各Ｙ成分と共通化したＵ成分およびＶ成分とを記憶させる記憶手段の領域を、ＹＵＶデータに変換する前の１画面分のＲＧＢデータ毎に、第１記憶領域と第２記憶領域とで交互に切り替え、
逆変換手段は、第１記憶領域に記憶されたＹ成分と共通化されたＵ成分およびＶ成分とをＲＧＢデータに変換する第１逆変換回路と、第２記憶領域に記憶されたＹ成分と共通化されたＵ成分およびＶ成分とをＲＧＢデータに変換する第２逆変換回路とを含み、
記憶手段は、新たに１画面分のＲＧＢデータから生成された各画素のＹ成分とｍ画素毎に共通化されたＵ成分およびＶ成分とが第１記憶領域または第２記憶領域に記憶されたときに、第１記憶領域から第１逆変換回路にＹ成分と共通化されたＵ成分およびＶ成分を出力し、第２記憶領域から第２逆変換回路にＹ成分と共通化されたＵ成分およびＶ成分を出力し、
オーバードライブ手段は、
新たに１画面分のＲＧＢデータから生成された各画素のＹ成分とｍ画素毎に共通化されたＵ成分およびＶ成分とが第１記憶領域に記憶された場合、第１逆変換回路によって生成されたＲＧＢデータを現在の画像データとし、第２逆変換回路によって生成されたＲＧＢデータを前の画像データとして、第１逆変換回路および第２逆変換回路によって生成されたＲＧＢデータを比較し、
新たに１画面分のＲＧＢデータから生成された各画素のＹ成分とｍ画素毎に共通化されたＵ成分およびＶ成分とが第２記憶領域に記憶された場合、第２逆変換回路によって生成されたＲＧＢデータを現在の画像データとし、第１逆変換回路によって生成されたＲＧＢデータを前の画像データとして、第１逆変換回路および第２逆変換回路によって生成されたＲＧＢデータを比較する
請求項１に記載の液晶駆動装置。
【請求項３】
変換手段は、１画面のうちの一部の画像を表すＲＧＢデータであってｎを正の整数としたときにｍ・ｎ画素分の画像を表すＲＧＢデータを供給され、当該ＲＧＢデータをＹＵＶデータに変換し、ｍ画素分のＹＵＶデータ毎にＵ成分およびＶ成分を共通化し、ｍ画素分のＹＵＶデータの各Ｙ成分と共通化したＵ成分およびＶ成分とを記憶手段に記憶させる
請求項１に記載の液晶駆動装置。
【発明の詳細な説明】
【技術分野】
【０００１】
本発明は、液晶表示パネルを駆動する液晶駆動装置に関し、特に、記憶すべき画像データの量を減少させることができる液晶駆動装置に関する。
【背景技術】
【０００２】
携帯電話機等の液晶表示パネルを駆動する液晶駆動装置には、１画面分のＲＡＭが設けられることが多い。また、液晶駆動装置には画像データとしてＲＧＢデータが供給され、液晶駆動装置のＲＡＭにそのＲＧＢデータが格納される。このように、１画面分のＲＡＭを備え、ＲＧＢデータが供給される液晶駆動装置の例が特許文献１に記載されている。
【０００３】
また、中間調表示を行う場合の液晶の応答速度を速める方法として、いわゆるオーバードライブ法が知られている（例えば、特許文献２参照。）。オーバードライブ法では、１フレーム前の画像データと現在の画像データとを比較して、現在の画像データの方が暗くなる場合には、画像データをより暗くなるように補正する。また、現在の画像データの方が明るくなる場合には、画像データをより明るくなるように補正する。
【０００４】
また、液晶駆動装置が外部システム（例えば、その液晶駆動装置を備えた携帯電話機等）から画像データを供給される態様として、「ＲＧＢインタフェース（ＲＧＢ  Ｉ／Ｆ）」と「ＭＰＵインタフェース（ＭＰＵ  Ｉ／Ｆ）」がある。ＲＧＢインタフェースでは、外部システムによるＨＳＹＮＣの出力周期毎に、外部システムから液晶駆動装置に１ライン分の画像データが送られてくる。また、液晶駆動装置は、ＨＳＹＮＣの出力周期毎に液晶表示パネルの１ラインを選択して、１ライン分の画像を液晶表示パネルに表示させる。ＲＧＢインタフェースでは、外部システムからの１ライン分の画像データの供給時間と、液晶表示パネルの１ラインの選択時間とが同期している。このＲＧＢインタフェースでは、１画面分のＲＡＭを設けることによって、オーバードライブを実現することができる。すなわち、ＲＡＭから前のフレームの画像データを１ライン分読み出すと同時にその領域に現在の１ライン分の画像データをＲＡＭに書き込むことで、現在の１ライン分の画像データと前フレームにおける１ライン分の画像データとを比較して、オーバードライブを実現することができる。また、現在の１ライン分の画像データを次のフレームまで記憶しておくことができる。
【０００５】
また、ＭＰＵインタフェースでは、液晶表示パネルの１ラインの選択時間と、外部システムからの１ライン分の画像データの供給時間とは非同期である。一般に、ＭＰＵインタフェースでは、液晶表示パネルの１ラインの選択時間と、外部システムからの１ライン分の画像データの供給時間とが非同期であるため、どのデータとどのデータとを比較してよいのか判別できず、オーバードライブを実現できない。
【０００６】
ただし、ＭＰＵインタフェースの一態様としてＶＳＹＮＣインタフェース（ＶＳＹＮＣ  Ｉ／Ｆ）があり、ＶＳＹＮＣインタフェースでは、１画面分の画像データを記憶するＲＡＭを２個設けることによってオーバードライブを実現することができる。ＶＳＹＮＣインタフェースでは、外部システムがＶＳＹＮＣを出力してから一定時間後に、液晶駆動装置が液晶表示パネルの各ラインの走査を開始して、１画面分の画像データに応じた画像を液晶表示パネルに表示させる。また、ＶＳＹＮＣインタフェースでは、外部システムが液晶駆動装置のＲＡＭに一画面分の画像データの書き込みを開始するのは、ＶＳＹＮＣ出力後の一定時間後である。ただし、ＶＳＹＮＣ出力後の一定時間後に必ず外部システムがＲＡＭへの画像データの書き込みを開始するとは限らない。この一定時間はバックポーチと呼ばれるブランク期間であり、フレーム期間に比べて短い期間である。
【０００７】
図８はＶＳＹＮＣインタフェースにおけるＲＡＭへの画像データの書き込みおよび液晶表示パネルの走査の例を示す説明図である。図８では第１ゲート配線Ｇ０（すなわち、第１ライン）から第３２０ゲート配線Ｇ３１９（すなわち、第３２０ライン）までを順次選択して走査を行う場合の例を示している。また、図８では、１フレームが１６．７ｍｓであり、１６．７ｍｓ毎に外部システムから液晶駆動装置にＶＳＹＮＣが入力される場合を示している。図８に示す実線は、時間経過に伴う第１ゲート配線Ｇ０から第３２０ゲート配線Ｇ３１９までの走査を示している。また、破線は、時間経過に伴って、第１ラインから第３２０ラインまでの各ラインの画像データ（第１の画像データとする。）がＲＡＭに書き込まれていく状況を示している。同様に、一点鎖線、二点差線は、それぞれ時間経過に伴って、第２の画像データ、第３の画像データがＲＡＭに書き込まれていく状況を示している。ＲＡＭへの画像データの書き込みの開始はＶＳＹＮＣ出力後の一定時間（バックポーチ）後であるが、ＶＳＹＮＣ出力後の一定時間後に必ずＲＡＭへの画像データの書き込みが開始されるとは限らない。なお、この一定時間（バックポーチ）は短い時間であるので、図８ではこの一定時間の図示を省略し、走査や画像データの書き込みの開始がＶＳＹＮＣ出力時となっているように示している。既に説明したように、実際には、走査や画像データの書き込みが開始されるのは、ＶＳＹＮＣ出力時から一定時間後である。
【０００８】
現在の１画面分のデータの書き込みは、２つのＲＡＭのうち、より古い画像データを記憶しているＲＡＭに対して行う。
【０００９】
液晶駆動装置が、時刻ｔ１から走査を開始する場合、第１の画像データおよび第２の画像データの比較を各ライン毎に行っていくことでオーバードライブを実現することができる。また、時刻ｔ２から走査を開始する場合、第２の画像データおよび第３の画像データの比較を各ライン毎に行っていくことでオーバードライブを実現することができる。なお、時刻ｔ１から開始した走査が終了し、次の走査が開始するまでの間、新たな画像データの書き込みは開始されていない。従って、時刻ｔ１から開始した走査が終了して次の走査が開始した場合、この走査ではオーバードライブは行わない。
【００１０】
また、ＭＰＵインタフェースの一態様として、液晶駆動装置が外部システムにシンク信号を出力してから一定時間後に外部システムがＲＡＭへの一画面分の画像データの書き込みを開始し、液晶駆動装置がフレーム期間毎に各ラインの走査を開始する態様がある。液晶駆動装置が走査開始の一定時間前にシンク信号を出力することで、ＲＡＭへの画像データの書き込みおよび液晶表示パネルの走査はＶＳＹＮＣの場合と同様に行われ、ＶＳＹＮＣインタフェースの場合と同様にオーバードライブを実現することができる。
【００１１】
なお、現在の画像データを各ライン毎にＲＡＭに書き込む場合、オーバードライブのための比較が終了した前の画像データに、現在の画像データを書き込むことによって、オーバードライブのために必要なＲＡＭの容量を削減できる。図９は、オーバードライブのための比較が終了した前の画像データに、現在の画像データを書き込む例を示す説明図である。図９の上段に示す図は、図８と同様である。図９の下段に示す図は、ＲＡＭのアドレスと、アドレスに書き込まれる画像データとの対応を示している。時刻ｔ１の後、１ライン目から順に、第１の画像データと第２の画像データとの比較が行われる。図９では、比較が完了した第１の画像データに第２の画像データを上書きしている状態を示している。図９に示すように、時刻ｔ１の後、第２の画像データのうち未だＲＡＭに書き込まれていないラインの画像データは、比較が完了済みの第１の画像データが書き込まれている領域に順次上書きされる。同様に、時刻ｔ２の後、１ライン目から順に、第２の画像データと第３の画像データとの比較が行われる。従って、図９に示すように、時刻ｔ２の後、第３の画像データのうち未だＲＡＭに書き込まれていないラインの画像データは、比較が完了済みの第２の画像データが書き込まれている領域に順次上書きされる。
【００１２】
このようにＲＡＭへの書き込みを行うことで、オーバードライブのために必要なＲＡＭの容量を削減できる。ただし、図９に例示するようにＲＡＭに画像データを書き込む場合であっても、少なくとも１．５画面分の画像データを記憶するＲＡＭが必要である。また、図９に例示する態様でＲＡＭに画像データを書き込むことでＲＡＭの容量を削減できるようにするためには、１画面の画像を送信するレートが、フレーム周波数の１／２以上であり、かつ、フレーム周波数未満であるという条件を満たしている必要がある。例えば、フレーム周波数が６０Ｈｚである場合、１画面の画像を送信するレートが３０ｆｐｓ（Frame Per Second）以上、６０ｆｐｓ未満である必要がある。
【００１３】
また、カラー画像を表す画像データとして、ＲＧＢデータの他にＹＵＶデータが知られている。この二種類のデータは、相互に変換可能であり、非特許文献１には、ＲＧＢデータとＹＵＶデータの相互の変換方法が記載されている。
【００１４】
【特許文献１】特開２００１−２２２２４９号公報（段落０１１０）
【特許文献２】特開２００６−１２６２５６号公報（段落０００５−００１０）
【非特許文献１】”ＹＵＶフォーマット及びＹＵＶ＜−＞ＲＧＢ変換”、[online]、［平成１８年８月２４日検索］、インターネット＜ＵＲＬ：http://vision.kuee.kyoto-u.ac.jp/~hiroaki/firewire/yuv.html＞
【発明の開示】
【発明が解決しようとする課題】
【００１５】
表示する画像の解像度や色数の増加に伴って、液晶駆動装置内部のＲＡＭの面積が大きくなってしまい、その結果、１画面分のＲＡＭのみを設ける場合であったとしても、液晶駆動装置も大きくなってしまう。画像データを圧縮してＲＡＭの面積を減少させることも考えられる。しかし、画像データを圧縮するためには、複雑な圧縮回路を液晶駆動装置内に設ける必要が生じ、ＲＡＭの面積を減少させたとしても、そのような複雑な圧縮回路を設けなければならないため、液晶駆動装置の大きさを減少させることは困難であった。
【００１６】
また、液晶表示パネルの表示では、画像の部分書き換え（画像の一部だけを書き換えること）が多いため、ランレングス等の圧縮方式を適用することは困難であった。
【００１７】
また、１画面分のＲＡＭのみを設ける場合であっても、上記のように液晶駆動装置が大きくなるという問題が生じる。従って、ＶＳＹＮＣインタフェース等でオーバードライブを実現する場合には、１画面分の画像データを記憶するＲＡＭを２個設けることになるので、液晶駆動装置はさらに大きくなってしまう。
【００１８】
既に説明したように、オーバードライブのための比較が終了した前の画像データに現在の画像データを書き込むことで、オーバードライブに必要なＲＡＭの容量を削減できる。しかし、その場合であっても、少なくとも１．５画面分の画像データを記憶するＲＡＭが必要となり、液晶駆動装置が大きくなるという問題を解決することはできない。
【００１９】
そこで本発明は、ＲＡＭの面積を少なく抑えることが可能な液晶駆動装置を提供することを目的とする。また、ＶＳＹＮＣインタフェース等を適用した場合であっても、ＲＡＭの面積を少なく抑えてオーバードライブを実現可能な液晶駆動装置を提供することを目的とする。
【課題を解決するための手段】
【００２０】
本発明の態様１は、画像を表すＲＧＢデータを用いて液晶表示パネルを駆動する液晶駆動装置であって、画像データを記憶する記憶手段と、ＲＧＢデータをＹＵＶデータに変換し、複数ｍ画素分（ｍは２以上の整数）のＹＵＶデータ毎にＵ成分およびＶ成分を共通化し、Ｕ成分およびＶ成分を共通化したｍ画素分のＹＵＶデータの各Ｙ成分と共通化したＵ成分およびＶ成分とを記憶手段に記憶させる変換手段と、記憶手段に記憶されたＹ成分と共通化されたＵ成分およびＶ成分をＲＧＢデータに変換する逆変換手段とを備えたことを特徴とする液晶駆動装置を提供する。
【００２１】
本発明の態様２は、態様１において、現在の画像データと前の画像データとを比較して、現在の画像データの方が低輝度となる場合には当該現在の画像データをより低輝度になるように補正し、現在の画像データの方が高輝度となる場合には当該現在の画像データをより高輝度になるように補正するオーバードライブ手段を備え、記憶手段が、画像データを記憶する第１記憶領域および第２記憶領域を含み、変換手段が、ｍ画素分のＹＵＶデータの各Ｙ成分と共通化したＵ成分およびＶ成分とを記憶させる記憶手段の領域を、ＹＵＶデータに変換する前の１画面分のＲＧＢデータ毎に、第１記憶領域と第２記憶領域とで交互に切り替え、逆変換手段が、第１記憶領域に記憶されたＹ成分と共通化されたＵ成分およびＶ成分とをＲＧＢデータに変換する第１逆変換回路と、第２記憶領域に記憶されたＹ成分と共通化されたＵ成分およびＶ成分とをＲＧＢデータに変換する第２逆変換回路とを含み、記憶手段が、新たに１画面分のＲＧＢデータから生成された各画素のＹ成分とｍ画素毎に共通化されたＵ成分およびＶ成分とが第１記憶領域または第２記憶領域に記憶されたときに、第１記憶領域から第１逆変換回路にＹ成分と共通化されたＵ成分およびＶ成分を出力し、第２記憶領域から第２逆変換回路にＹ成分と共通化されたＵ成分およびＶ成分を出力し、オーバードライブ手段が、新たに１画面分のＲＧＢデータから生成された各画素のＹ成分とｍ画素毎に共通化されたＵ成分およびＶ成分とが第１記憶領域に記憶された場合、第１逆変換回路によって生成されたＲＧＢデータを現在の画像データとし、第２逆変換回路によって生成されたＲＧＢデータを前の画像データとして、第１逆変換回路および第２逆変換回路によって生成されたＲＧＢデータを比較し、新たに１画面分のＲＧＢデータから生成された各画素のＹ成分とｍ画素毎に共通化されたＵ成分およびＶ成分とが第２記憶領域に記憶された場合、第２逆変換回路によって生成されたＲＧＢデータを現在の画像データとし、第１逆変換回路によって生成されたＲＧＢデータを前の画像データとして、第１逆変換回路および第２逆変換回路によって生成されたＲＧＢデータを比較する液晶駆動装置を提供する。
【００２２】
本発明の態様３は、態様１において、変換手段が、１画面のうちの一部の画像を表すＲＧＢデータであってｎを正の整数としたときにｍ・ｎ画素分の画像を表すＲＧＢデータを供給され、当該ＲＧＢデータをＹＵＶデータに変換し、ｍ画素分のＹＵＶデータ毎にＵ成分およびＶ成分を共通化し、ｍ画素分のＹＵＶデータの各Ｙ成分と共通化したＵ成分およびＶ成分とを記憶手段に記憶させる液晶駆動装置を提供する。
【発明の効果】
【００２３】
本発明の態様１によれば、記憶手段の面積を少なく抑えることができ、液晶駆動装置のサイズを抑えることができる。
【００２４】
本発明の態様２によれば、ＶＳＹＮＣインタフェース等を適用した場合であっても、記憶手段の面積を少なく抑えてオーバードライブを実現することができる。
【発明を実施するための最良の形態】
【００２５】
以下、本発明の実施の形態を図面を参照して説明する。
【００２６】
［実施の形態１］図１は、本発明の液晶駆動装置の第１の実施の形態を示す説明図である。本発明の液晶駆動装置１は、液晶表示パネル３１を駆動する。以下の説明では、液晶表示パネル３１が複数のゲート配線および複数のソース配線を備えたＴＦＴ（Thin Film Transistor）液晶表示パネルである場合を例にして説明する。
【００２７】
第１の実施の形態の液晶駆動装置１は、変換回路２と、ＲＡＭ３と、逆変換回路４と、ソースドライバ５と、ゲートドライバ２２と、タイミングコントローラ２１とを備える。
【００２８】
ゲートドライバ２２は、タイミングコントローラ２１の制御に従って、液晶表示パネル３１の第１ラインから各ラインを順次選択し、選択したラインのゲート配線を所定の電位に設定する。ゲートドライバ２２は、タイミングコントローラ２１からライン切替信号（選択ラインの切り替えを指示する信号）が入力されると、選択ラインを切り替える。
【００２９】
ソースドライバ５は、タイミングコントローラ２１からライン切替信号が入力されると、選択ラインにおける各画素に対応する各ソース配線を、画素の画像データに応じた電位に設定する。
【００３０】
ゲートドライバ２２が選択したゲート配線を所定の電位に設定し、ソースドライバ５が選択ラインにおける各画素に対応する各ソース配線を画像データに応じた電位に設定していくことで、液晶表示パネル３１に画像を表示させる。
【００３１】
変換回路２は、外部システム（図示せず。）から画像データを供給される。外部システムは１ライン分ずつ画像データを変換回路２に供給する。変換回路２が外部システムから供給される画像データは、ＲＧＢデータである。変換回路２は、外部システムから供給されたＲＧＢデータを画素毎にＹＵＶデータに変換する。なお、ＹＵＶデータのＹ成分は輝度を表し、Ｕ成分およびＶ成分は色差を表す。変換回路２は、ＲＧＢデータのＲ成分（Ｒ）、Ｇ成分（Ｇ）、Ｂ成分（Ｂ）を用いて、以下の式１から式３の変換式に従ってＹＵＶデータのＹ成分（Ｙ）、Ｕ成分（Ｕ）、Ｖ成分（Ｖ）を算出することでＲＧＢデータをＹＵＶデータに変換する。
【００３２】
Ｙ＝０．２９９Ｒ＋０．５８７Ｇ＋０．１１４Ｂ          式１
【００３３】
Ｕ＝−０．１６９Ｒ−０．３１１Ｇ＋０．５００Ｂ          式２
【００３４】
Ｖ＝０．５００Ｒ−０．４１９Ｇ−０．０８１Ｂ          式３
【００３５】
また、変換回路２は、変換後の１画素当たりのＹ成分、Ｕ成分、およびＶ成分のデータ長の和が変換前の１画素当たりのＲ成分、Ｇ成分、Ｂ成分のデータ長の和以下になるように、ＲＧＢデータをＹＵＶデータに変換する。例えば、変換前の１画素当たりのＲ成分、Ｇ成分、Ｂ成分のデータ長がそれぞれＰｂｉｔであるとする。この場合、変換回路２は、例えば、変換後のＹ成分、Ｕ成分、およびＶ成分のデータ長がそれぞれＰｂｉｔになるようにＲＧＢデータをＹＵＶデータに変換する。変換後のＹＵＶデータのＹ成分、Ｕ成分、およびＶ成分のデータ長が異なっていてもよい。上記の例の場合、変換回路２は、例えば、Ｙ成分のデータ長がＰｂｉｔとなり、Ｕ成分およびＶ成分のデータ長がそれぞれ（Ｐ−１）ｂｉｔとなるようにＲＧＢデータをＹＵＶデータに変換してもよい。
【００３６】
さらに、変換回路２は、ＲＧＢデータをＹＵＶデータに変換した後、複数ｍ画素（ｍは２以上の整数）分のＹＵＶデータ毎に、Ｕ成分およびＶ成分を共通化する。以下の説明では、変換回路２が４画素分のＹＵＶデータ毎にＵ成分およびＶ成分を共通化する場合を例にして説明する。
【００３７】
変換回路２は、例えば以下に示すように、４画素分のＹＵＶデータのＵ成分およびＶ成分を共通化する。例えば、変換回路２は、４画素分のＹＵＶデータにおいて、いずれか１つの画素のＵ成分およびＶ成分を代表値とすることでＵ成分およびＶ成分を共通化する。すなわち、変換回路２は、４画素分のＹＵＶデータにおいて、いずれか１つの画素のＵ成分を他の３つの画素のＵ成分とすることでＵ成分を共通化する。また、変換回路２は、４画素分のＹＵＶデータにおいて、いずれか１つの画素のＶ成分を他の３つの画素のＶ成分とすることでＶ成分を共通化する。
【００３８】
変換回路２は、４画素分のＹＵＶデータ毎に、Ｕ成分およびＶ成分を共通化したとき、４画素分のＹＵＶデータの各Ｙ成分と、共通化したＵ成分およびＶ成分とをＲＡＭ３に記憶させる。
【００３９】
図２は、変換回路２が４画素分のＹＵＶデータのＵ成分およびＶ成分を共通化する例を示す説明図である。図２では、１ラインで水平に並ぶ４つの画素毎にＹＵＶデータのＵ成分およびＶ成分を共通化する場合の例を示している。変換回路２は、１ラインで水平に並ぶ４つの画素５１〜５４のうち、１つの画素（本例では４つのうち一番左側の画素５１）のＵ成分およびＶ成分を代表値として、Ｕ成分およびＶ成分を共通化する。変換回路２は、水平に並ぶ４つの画素５１〜５４の各Ｙ成分Ｙ１〜Ｙ４と、共通化したＵ成分およびＶ成分（本例ではＵ１およびＶ１）をＲＡＭ３に記憶させる。
【００４０】
水平に並ぶ４つの画素毎にＵ成分およびＶ成分を共通化してＲＡＭ３に記憶させる場合、変換回路２は、外部システムから１ライン分の画像データを供給されると、１ライン分の画像データを画素毎にＲＧＢデータからＹＵＶデータに変換する。そして、変換回路２は、そのライン内で水平に並ぶ４つの画素毎に、Ｕ成分およびＶ成分を共通化する。さらに、変換回路２は、４つの画素の各Ｙ成分と共通化したＵ成分およびＶ成分とをＲＡＭ３に記憶させる処理を、１ライン内で水平に並ぶ４つの画素毎に行う。
【００４１】
図３は、変換回路２が４画素分のＹＵＶデータのＵ成分およびＶ成分を共通化する他の例を示す説明図である。図３では、２行２列に配置される４つの画素毎にＹＵＶデータのＵ成分およびＶ成分を共通化する場合の例を示している。変換回路２は、２行２列に配置される４つの画素６１〜６４のうち、１つの画素（本例では４つのうち左上の画素６１）のＵ成分およびＶ成分を代表値として、Ｕ成分およびＶ成分を共通化する。変換回路２は、２行２列に配置される４つの画素６１〜６４の各Ｙ成分Ｙ１〜Ｙ４と、共通化したＵ成分およびＶ成分（本例ではＵ１およびＶ１）をＲＡＭ３に記憶させる。
【００４２】
２行２列に配置される４つの画素毎にＵ成分およびＶ成分を共通化してＲＡＭ３に記憶させる場合、１行目の２つの画素と２行目の２つの画素は異なるライン属するので、外部システムから異なるタイミングで変換回路に供給される。変換回路２は、１行目の２つの画素６１，６２が属する１ライン分の画像データが供給されると、２つの画素６１，６２の各Ｙ成分（図３に示す例ではＹ１，Ｙ２）と、代表値とする画素６１のＵ成分およびＶ成分（図３に示す例ではＵ１，Ｖ１）とをＲＡＭ３に記憶させる。画素６１，６２が属する１ライン分の画像データにおける他の画素についても、２画素ずつ同様の処理を行う。そして、変換回路２は、引き続いて、２行目の２つの画素６３，６４が属する１ライン分の画像データが供給されると、２つの画素６３，６４の各Ｙ成分（図３に示す例ではＹ３，Ｙ４）をＲＡＭ３に記憶させる。画素６３，６４が属する１ライン分の画像データにおける他の画素についても、２画素ずつ同様の処理を行う。変換回路２は、２ライン毎に上記の動作を繰り返す。なお、代表値とするＵ成分およびＶ成分は、２行２列に配置される４つの画素のうちの２行目の画素の成分であってもよい。
【００４３】
変換回路２は、１ライン分の画像データにおいて水平に並ぶ４つの画素毎にＵ成分およびＶ成分を共通化してＲＡＭ３に記憶させてもよい。あるいは、２行２列に配置される４つの画素毎にＵ成分およびＶ成分を共通化してＲＡＭ３に記憶させてもよい。
【００４４】
ＲＡＭ３は、画像データを記憶するＲＡＭである。ＲＡＭ３には、４画素毎に、その４画素の各Ｙ成分と、その４画素で共通化されたＵ成分およびＶ成分とが変換回路２によって書き込まれる。
【００４５】
また、ＲＡＭ３は、タイミングコントローラ２１からライン切替信号および１ライン分の画像データの記憶領域のアドレスが入力されると、そのアドレスに記憶している１ライン分の画像データを逆変換回路４に出力する。
【００４６】
１ラインで水平に並ぶ４つの画素毎に、その４画素の各Ｙ成分と、その４画素で共通化されたＵ成分およびＶ成分とがＲＡＭに書き込まれるとする。この場合、タイミングコントローラ２１は、ライン切替信号とともに、各Ｙ成分および共通化されたＵ成分およびＶ成分が書き込まれたアドレスをＲＡＭ３に出力する。例えば、図２に例示するＹ１〜Ｙ４およびＵ１，Ｖ１が書き込まれたアドレスをＲＡＭ３に出力する。この結果、ＲＡＭ３は、ライン切替信号が入力されたときに、Ｙ１〜Ｙ４およびＵ１，Ｖ１を逆変換回路４に出力する。
【００４７】
また、２行２列に配置された４つの画素毎に、その４画素の各Ｙ成分と、その４画素で共通化されたＵ成分およびＶ成分とがＲＡＭに書き込まれるとする。この場合、１行目の画素と２行目の画素とは異なるラインに属する。４つの画素のうち１行目の２つの画素が属するラインを選択させる場合、タイミングコントローラ２１は、ライン切替信号とともに、その２つの画素のＹ成分および共通化されたＵ成分およびＶ成分が書き込まれたアドレスをＲＡＭ３に出力する。また、４つの画素のうち２行目の２つの画素が属するラインを選択させる場合、タイミングコントローラ２１は、ライン切替信号とともに、その２つの画素のＹ成分および共通化されたＵ成分およびＶ成分が書き込まれたアドレスをＲＡＭ３に出力する。例えば、図３に例示する画素６１，６２が属するラインを選択させる場合、タイミングコントローラ２１は、ライン切替信号とともに、Ｙ１，Ｙ２，Ｕ１，Ｖ１が書き込まれたアドレスをＲＡＭ３に出力する。この結果、ＲＡＭ３は、ライン切替信号が入力されたときにＹ１，Ｙ２，Ｕ１，Ｖ１を逆変換回路４に出力する。引き続き、画素６３，６４が属するラインを選択させる場合、タイミングコントローラ２１は、ライン切替信号とともに、Ｙ３，Ｙ４，Ｕ１，Ｖ１が書き込まれたアドレスをＲＡＭ３に出力する。この結果、ＲＡＭ３は、ライン切替信号が入力されたときにＹ３，Ｙ４，Ｕ１，Ｖ１を逆変換回路４に出力する。
【００４８】
逆変換回路４は、１ライン分の画像データ（ＹＵＶデータ）がＲＡＭ３から入力されると、画素毎にＹＵＶデータをＲＧＢデータに変換し、１ライン分の画像データ（ＲＧＢデータ）をソースドライバ５に出力する。
【００４９】
逆変換回路４には、各画素のＹ成分と４画素毎に共通化されたＵ成分およびＶ成分がＲＡＭ３から入力される。逆変換回路４は、その共通化されたＵ成分およびＶ成分と各画素のＹ成分を用いて、画素毎にＹＵＶデータをＲＧＢデータに変換する。逆変換回路４は、ＹＵＶデータのＹ成分（Ｙ）、Ｕ成分（Ｕ）、Ｖ成分（Ｖ）を用いて、以下の式４から式６の変換式に従ってＲＧＢデータのＲ成分（Ｒ）、Ｇ成分（Ｇ）、Ｂ成分（Ｂ）を算出することでＹＵＶデータをＲＧＢデータに変換する。
【００５０】
Ｒ＝１．０００Ｙ＋１．４０２Ｖ          式４
【００５１】
Ｇ＝１．０００Ｙ−０．３４４Ｕ−０．７１４Ｖ          式５
【００５２】
Ｂ＝１．０００Ｙ＋１．７７２Ｕ          式６
【００５３】
逆変換回路４は、式４から式６に従って画素毎に算出したＲＧＢデータを１ライン分、ソースドライバ５に出力する。
【００５４】
タイミングコントローラ２１は、選択期間（ゲートドライバ２２が１ラインを選択する期間）毎に、ライン切替信号をＲＡＭ３、ソースドライバ５、ゲートドライバ２２に出力する。また、タイミングコントローラ２１は、ＲＡＭ３に対してライン切替信号とともに、ＲＡＭ３が逆変換回路４に出力すべき１ライン分の画像データの記憶領域のアドレスも出力する。すなわち、タイミングコントローラ２１は、ゲートドライバ２２に選択させるラインの１ライン分の画像データの記憶領域のアドレスをＲＡＭ３に出力する。
【００５５】
次に、動作について説明する。
まず、ＲＡＭ３に画像データ（ＹＵＶデータ）を書き込む動作について説明する。変換回路２は、外部システム（図示せず。）から１ライン分の画像データ（ＲＧＢデータ）が入力されると、その１ライン分のＲＧＢデータを式１から式３に従ってＹＵＶデータに変換する。このとき、変換回路２は、変換後の１画素当たりのＹ成分、Ｕ成分、およびＶ成分のデータ長の和が変換前の１画素当たりのＲ成分、Ｇ成分、Ｂ成分のデータ長の和以下になるように、ＲＧＢデータをＹＵＶデータに変換する。
【００５６】
さらに、変換回路２は、変換後の４画素分のＹＵＶデータ毎に、Ｕ成分およびＶ成分を共通化する。この共通化は、例えば、既に説明したように４画素分のＹＵＶデータのうちのいずれか１画素のＵ成分およびＶ成分を代表値とすることによって行えばよい。
【００５７】
そして、変換回路２は、４画素分のＹＵＶデータ毎に、４画素分の各Ｙ成分と、共通化したＵ成分およびＶ成分をＲＡＭ３に記憶させる。
【００５８】
変換回路２は、１ライン分の画像データが外部システムから入力されるたびに、上記の処理を繰り返す。なお、図３を参照して既に説明したように、２行２列に配置される４つの画素毎にＹＵＶデータのＵ成分およびＶ成分を共通化する場合には、１行目の２つの画素６１，６２が属する１ライン分の画像データが供給されると、２つの画素６１，６２の各Ｙ成分（図３に示す例ではＹ１，Ｙ２）と、代表値とする画素６１のＵ成分およびＶ成分（図３に示す例ではＵ１，Ｖ１）とをＲＡＭ３に記憶させる。画素６１，６２が属する１ライン分の画像データにおける他の画素についても、２画素ずつ同様の処理を行う。引き続いて、２行目の２つの画素６３，６４が属する１ライン分の画像データが供給されると、２つの画素６３，６４の各Ｙ成分（図３に示す例ではＹ３，Ｙ４）をＲＡＭ３に記憶させる。画素６３，６４が属する１ライン分の画像データにおける他の画素についても、２画素ずつ同様の処理を行う。変換回路２は、２ライン毎に上記の動作を繰り返す。
【００５９】
以上の動作により、ＲＡＭ３にＹＵＶデータが書き込まれる。
【００６０】
次に、液晶表示パネル３１に画像を表示させる動作について説明する。タイミングコントローラ２１は、選択期間毎にライン切替信号を、ＲＡＭ３、ゲートドライバ２２およびソースドライバ５に出力する。
【００６１】
１フレームにおいて最初にタイミングコントローラ２１がライン切替信号を出力したとき、ゲートドライバ２２は第１ラインを選択し、第１ラインのゲート配線を所定の電位に設定する。
【００６２】
また、タイミングコントローラ２１は、ＲＡＭ３に対しては、１ライン分の画像データの記憶領域のアドレスもライン切替信号とともに出力する。従って、タイミングコントローラ２１が１フレームにおいて最初にライン切替信号を出力する場合、第１ラインの画像データの記憶領域のアドレスもＲＡＭ３に出力する。
【００６３】
ＲＡＭ３はタイミングコントローラ２１から入力された第１ラインのＹＵＶデータ（第１ラインの各画素のＹ成分および４画素毎に共通化されたＵ成分およびＶ成分）を逆変換回路４に出力する。
【００６４】
逆変換回路４は、ＲＡＭ３から入力された第１ラインのＹＵＶデータ（第１ラインの各画素のＹ成分および４画素毎に共通化されたＵ成分およびＶ成分）をＲＧＢデータに変換する。このとき、逆変換回路４は、各画素のＹ成分および４画素毎に共通化されたＵ成分およびＶ成分を用いて、画素毎に、式４から式６に従ってＹＵＶデータをＲＧＢデータに変換する。
【００６５】
逆変換回路４は、１ライン分のＹＵＶデータ（第１ラインのＹＵＶデータ）をＲＧＢデータに変換したならば、その１ライン分の各画素のＲＧＢデータをソースドライバ５に出力する。
【００６６】
このとき、ソースドライバ５には、タイミングコントローラ２１からライン切替信号が入力されている。従って、ソースドライバ５は、選択ライン（ここでは第１ライン）における各画素に対応する各ソース配線を、逆変換回路４から入力された１ライン分の各画素のＲＧＢデータに応じた電位に設定する。この結果、液晶表示パネルの第１ラインに１行分の画像を表示させることができる。
【００６７】
選択期間が経過する毎に、タイミングコントローラ２１は、上記と同様にライン切替信号をゲートドライバ２２、ソースドライバ５、ＲＡＭ３に出力し、ＲＡＭ３に対しては１ライン分の画像データのアドレスも出力する。この動作を繰り返すことで液晶表示パネルの各ラインに画像を表示させる。
【００６８】
次に、本実施の形態の効果について説明する。変換回路２は、変換後の１画素当たりのＹ成分、Ｕ成分、およびＶ成分のデータ長の和が変換前の１画素当たりのＲ成分、Ｇ成分、Ｂ成分のデータ長の和以下になるように、ＲＧＢデータをＹＵＶデータに変換する。そして、変換回路２は、複数ｍ画素毎に（例えば４画素毎に）Ｕ成分およびＶ成分を共通化してＲＡＭ３に記憶させる。従って、Ｒ成分、Ｇ成分、Ｂ成分を全て記憶させる場合に比べ、記憶させるデータ量を少なくすることができる。例えば、４画素毎にＵ成分およびＶ成分を共通化する場合では、４画素分のＲ成分、Ｇ成分、Ｂ成分を全て記憶させる場合に比べ、記憶させるデータ量を１／２以下にすることができる。具体例を挙げて説明する。変換前のＲ成分、Ｇ成分、Ｂ成分および変換後のＹ成分、Ｕ成分、Ｖ成分のデータ長が等しく、そのデータ長をＰｂｉｔとする。仮に、４画素分のＲ成分、Ｇ成分、Ｂ成分を全て記憶させるとすると、４画素当たり１２・Ｐｂｉｔの記憶容量が必要になる。しかし、本発明では変換回路２が４画素毎にＵ成分およびＶ成分を共通化してＲＡＭ３に記憶させるので、図２や図３に例示するＹ１〜Ｙ４，Ｕ１，Ｖ１を記憶させればよく、４画素当たり６・Ｐｂｉｔの記憶容量があればよい。従って、本発明では、１画面分の画像データ（ＲＧＢデータ）の記憶容量の１／２のＲＡＭに１画面分の各画素のＹ成分および４画素毎に共通化したＵ成分およびＶ成分を記憶させることができ、その結果、ＲＡＭ３の面積を少なく抑えることができる。上記の例では、変換前のＲ成分、Ｇ成分、Ｂ成分および変換後のＹ成分、Ｕ成分、Ｖ成分のデータ長が等しい場合を例示した。Ｙ成分、Ｕ成分、およびＶ成分のデータ長が等しくなくてもよい。例えば、変換前のＲ成分、Ｇ成分、Ｂ成分のデータ長がそれぞれＰｂｉｔであり、変換後のＹ成分のデータ長がＰｂｉｔであり、変換後のＵ成分およびＶ成分のデータ長が（Ｐ−１）ｂｉｔであってもよい。この場合、１画面分のＲＧＢデータの記憶容量の１／２以下のＲＡＭに１画面分の各画素のＹ成分および４画素毎に共通化したＵ成分およびＶ成分を記憶させることができる。すなわち、Ｙ成分、Ｕ成分、およびＶ成分のデータ長を全てＰｂｉｔにする場合よりもさらに少ない記憶容量のＲＡＭに、１画面分の各画素のＹ成分および４画素毎に共通化したＵ成分およびＶ成分を記憶させることができる。また、従来の複雑なデータ圧縮回路を液晶駆動装置１に設ける必要はなく、ＹＵＶデータをＲＡＭ３に記憶させるための構成要素としては、変換回路２および逆変換回路４を設ければよい。従って、ＲＡＭ３の面積を少なく抑え、液晶駆動装置１の大きさも小さくすることができる。
【００６９】
なお、液晶表示パネル３１には、共通化されたＵ成分およびＶ成分から逆変換されたＲＧＢデータに基づく画像が表示されることになる。しかし、人間の目は輝度の変化には敏感であるが、色の変化には鈍感である。従って、色差を表すＵ成分およびＶ成分を共通化し、そのＵ成分およびＶ成分を用いてＲＧＢデータへの逆変換を行ったとしても、人間は良好に画像を認識することができる。
【００７０】
また、本実施の形態において、変換回路２は、外部システムから、１画面分の画像を表すＲＧＢデータではなく、１画面のうちの一部の画像を表すＲＧＢデータデータであって、ｍ・ｎ画素分の画像を表すＲＧＢデータを供給されてもよい。ここで、ｎは正の整数である。ｍは、２以上の整数であり、変換回路２によってＵ成分およびＶ成分が共通化される画素の組に属する画素数である。ここでは、変換回路２が４画素分のＹＵＶデータ毎にＵ成分およびＶ成分を共通化する場合を例にしているので、ｍ＝４である。また、１画面のうちの一部の画像を表すＲＧＢデータは、ｍ個の画素のＲＧＢデータの集合である。本例のように、ｍ＝４である場合、１画面のうちの一部の画像を表すＲＧＢデータは、水平に並ぶ４つの画素のＲＧＢデータの集合、あるいは、２行２列に配置される４つの画素のＲＧＢデータの集合である。変換回路２は、このＲＧＢデータを画素毎にＹＵＶデータに変換し、４画素分のＹＵＶデータ毎に、Ｕ成分およびＶ成分を共通化してもよい。そして、変換回路２は、４画素分のＹＵＶデータ毎に、４画素分のＹＵＶデータの各Ｙ成分と、共通化したＵ成分およびＶ成分とをＲＡＭ３に記憶させる。変換回路２は、１画面内における４画素の位置に応じたアドレスに４画素分のＹＵＶデータの各Ｙ成分と、共通化したＵ成分およびＶ成分とを記憶させればよい。また、ＹＵＶデータへの変換や、Ｕ成分、Ｖ成分の共通化は、既に説明した動作によって行えばよい。また、他の構成要素の動作は、既に説明した動作と同様である。
【００７１】
この場合、ＲＡＭの面積を１画面分のＲＧＢデータを全て記憶させる場合よりも少なく抑えられるとともに、表示される画像の一部分のみを変更することができる。例えば、画像がデジタル時計の時刻を示す画像であり、秒の表示のみ変更するものとする。この場合、変換回路２は、時、分、秒を表す１画面分のデータを供給される必要はなく、秒を表す画素のＲＧＢデータのみを外部システムから供給されればよい。このような場合、ＲＡＭの面積を少なく抑えて、画像の一部（本例では秒の部分）の表示のみを変更することができる。
【００７２】
以上の説明では、４画素のうちの１つの画素のＵ成分およびＶ成分を代表値としてＵ成分およびＶ成分を共通化する場合を示した。４画素のＵ成分の平均値を、共通化したＵ成分とし、４画素のＶ成分の平均値を、共通化したＶ成分としてもよい。
【００７３】
１ラインで水平に並ぶ４つの画素毎にＵ成分およびＶ成分の平均値を算出する場合、変換回路２は、外部システムから１ライン分の画像データが供給され、１ライン分のＲＧＢデータをＹＵＶデータに変換した後、４画素毎にＵ成分およびＶ成分の平均値を算出すればよい。
【００７４】
２行２列に配置される４つの画素毎にＵ成分およびＶ成分の平均値を算出する場合、その４つの画素の画像データが同時に外部システムから供給されるわけではない。従って、２行２列に配置される４つの画素毎にＵ成分およびＶ成分の平均値を算出する場合、図４に示すように、液晶駆動装置１がラインバッファ７を備える構成とする。ラインバッファ７は１ライン分の画像データを記憶するバッファである。外部システムはラインバッファ７に１行分のＲＧＢデータを書き込む。図４に示す構成の場合、変換回路２は、ラインバッファ７のデータが２行２列の１行目の画素を含む１ライン分のＲＧＢデータから、２行２列の２行目の画素を含む１ライン分のＲＧＢデータに書き換えられる前に、書き換え前の１行分のＲＧＢデータを読み込み、さらに２行２列の２行目の画素を含む１ライン分のＲＧＢデータに書き換えられた後に書き換え後の１ライン分のＲＧＢデータを読み込む。そして、書き換え前および書き換え後のＲＧＢデータをＹＵＶデータに変換して、２行２列に配置された４画素毎にＵ成分およびＶ成分の平均値を算出すればよい。
【００７５】
あるいは、変換回路２の後段にラインバッファが設けられていてもよい。そして、変換回路２は、２行２列の１行目の画素を含む１ライン分のＲＧＢデータが供給されると、そのＲＧＢデータをＹＵＶデータに変換し、各画素のＵ成分およびＶ成分をラインバッファに記憶させてもよい。そして、変換回路２は、２行２列の２行目の画素を含む１ライン分のＲＧＢデータが供給されると、そのＲＧＢデータをＹＵＶデータに変換し、ラインバッファに記憶させた前のラインのＵ成分およびＶ成分を読み込んで、２行２列に配置された４画素毎のＵ成分およびＶ成分の平均値をそれぞれ算出してもよい。
【００７６】
第１の実施の形態において、記憶手段は、ＲＡＭ３によって実現される。変換手段は、変換回路２によって実現される。逆変換手段は逆変換回路４によって実現される。
【００７７】
［実施の形態２］図５は、本発明の液晶駆動装置の第２の実施の形態を示す説明図である。第１の実施の形態と同様の構成部に関しては、図１と同様の符号を付し、詳細な説明を省略する。
【００７８】
なお、第２の実施の形態においても、変換回路２は、ＲＧＢデータをＹＵＶデータに変換した後、複数ｍ画素分のＹＵＶデータ毎に、Ｕ成分およびＶ成分を共通化する。第１の実施の形態と同様に、変換回路２が４画素分のＹＵＶデータ毎にＵ成分およびＶ成分を共通化する場合を例にして説明する。
【００７９】
第２の実施の形態の液晶駆動装置は、オーバードライブ法を適用して液晶表示パネル３１を駆動する。以下の説明では、ＶＳＹＮＣインタフェースによって外部システム（図示せず。）から画像データを供給される場合を例にして説明する。
【００８０】
第２の実施の形態の液晶駆動装置１は、変換回路２と、ＲＡＭ３と、第１逆変換回路４ａと、第２変換回路４ｂと、オーバードライブ回路６と、ソースドライバ５と、ゲートドライバ２２と、タイミングコントローラ２１とを備える。
【００８１】
ソースドライバ５およびゲートドライバ２２の動作は、第１の実施の形態と同様である。ただし、第２の実施の形態では、ソースドライバ５は、オーバードライブ回路５から画像データを入力される。
【００８２】
第２の実施の形態では、ＲＡＭ３は、画像データを記憶する記憶領域として、第１記憶領域１１と第２記憶領域１２とを含んでいる。第１記憶領域１１および第２記憶領域１２はそれぞれ、１画面分の各画素のＹ成分および４画素毎に共通化したＵ成分およびＶ成分を記憶可能な記憶容量を有する。１画面分の各画素のＹ成分および４画素毎に共通化したＵ成分およびＶ成分は、１画面分のＹＵＶデータを全て記憶させる場合の１／２の記憶容量に記憶させることができる。従って、ＲＡＭ３全体は、１画面分のＹＵＶデータを記憶可能な記憶容量を有していればよい。
【００８３】
変換回路２は、第１の実施の形態と同様に、外部システム（図示せず。）から１ライン分づつ画像データ（ＲＧＢデータ）を供給される。変換回路２は、外部システムから１ライン分のＲＧＢデータが供給されると、そのＲＧＢデータを画素毎にＹＵＶデータに変換する。この変換は、第１の実施の形態と同様に行えばよい。
【００８４】
さらに、変換回路２は、ＲＧＢデータをＹＵＶデータに変換した後、第１の実施の形態と同様に、４画素分のＹＵＶデータ毎に、Ｕ成分およびＶ成分を共通化する。Ｕ成分およびＶ成分を共通化は、水平に並ぶ４つの画素毎に行ってもよい。あるいは、２行２列に配置された４つの画素毎に行ってもよい。
【００８５】
変換回路２は、４画素毎に、４画素分のＹＵＶデータの各Ｙ成分と、共通化したＵ成分およびＶ成分とをＲＡＭ３に記憶させる。ただし、第２の実施の形態では、変換回路２は、４画素毎に４画素分のＹＵＶデータの各Ｙ成分と共通化したＵ成分およびＶ成分とを記憶させる記憶領域を、ＹＵＶデータに変換する前の１画面分のＲＧＢデータ毎に、第１記憶領域１１と第２記憶領域１２とで切り替える。すなわち、変換回路２は、各Ｙ成分や共通化したＵ成分およびＶ成分を記憶させる領域を、外部システムから供給される１画面分のＲＧＢデータ毎に第１記憶領域１１と第２記憶領域１２とで切り替える。
【００８６】
例えば、ある１画面分の画像（第１画像とする。）の各ラインのＲＧＢデータが外部システムから変換回路２に順次供給され、変換回路２は、供給された各ラインのＲＧＢデータをＹＵＶデータに変換し、４画素毎にＵ成分およびＶ成分を共通化し、さらに、４画素毎に４画素分のＹＵＶデータの各Ｙ成分と共通化したＵ成分およびＶ成分とを第１記憶領域１１に記憶させたとする。
【００８７】
外部システムが次の１画面分の画像（第２画像とする。）の各ラインのＲＧＢデータを変換回路２に順次供給したとする。このとき、変換回路２は、供給された各ラインのＲＧＢデータをＹＵＶデータに変換し、４画素毎にＵ成分およびＶ成分を共通化する。そして、変換回路２は、４画素毎に４画素分のＹＵＶデータの各Ｙ成分と共通化したＵ成分およびＶ成分とを第２記憶領域１２に記憶させる。続いて、外部システムが次の１画面分の画像（第３画像とする。）の各ラインのＲＧＢデータを変換回路２に順次供給したとする。このとき、変換回路２は、供給された各ラインのＲＧＢデータをＹＵＶデータに変換し、４画素毎にＵ成分およびＶ成分を共通化する。そして、変換回路２は、４画素毎に４画素分のＹＵＶデータの各Ｙ成分と共通化したＵ成分およびＶ成分とを第１記憶領域１１に記憶させる。このように外部システムから供給される１画面分の画像データ毎に、Ｙ成分等を記憶させる記憶領域を第１記憶領域１１と第２記憶領域１２とで切り替える。
【００８８】
ＲＡＭ３は、タイミングコントローラ２１の制御に従って、第１記憶領域１１から第１逆変換回路４ａに対して１ライン分の画像データを出力する。また、ＲＡＭ３は、タイミングコントローラ２１の制御に従って、第２記憶領域１２から第２逆変換回路４ｂに対して１ライン分の画像データを出力する。第１記憶領域１１から第１逆変換回路４ａに画像データを出力する動作や、第１記憶領域１２から第２逆変換回路４ｂに画像データを出力する動作は、第１の実施の形態においてＲＡＭ３が逆変換回路４に画像データを出力する動作と同様である。
【００８９】
タイミングコントローラ２１は、以下のようにＲＡＭ３に画像データを出力させる。タイミングコントローラ２１には、外部システムから１フレーム毎にＶＳＹＮＣが入力される。また、外部システムは、新たな１画面分の画像の画像データを変換回路２に供給開始したときに、画像供給開始信号をタイミングコントローラ２１に出力する。外部システムは、画像供給開始信号の出力を、ＶＳＹＮＣ出力後の一定時間（バックポーチ）後に行うが、ＶＳＹＮＣ出力後の一定時間後に必ず画像供給開始信号が出力されるわけではない。タイミングコントローラ２１は、外部システムからＶＳＹＮＣが入力されてから一定時間（バックポーチ）後に各ラインの走査が開始されるようにゲートドライバ２２を制御する。
【００９０】
タイミングコントローラ２１は、外部システムから画像供給開始信号が入力された後、最初にＶＳＹＮＣが入力されることによって開始する１フレームでは、ライン切替信号とともに、第１記憶領域１１の１ライン分の画像データが記憶されたアドレスと、同じラインの画像データが記憶された第２記憶領域１２のアドレスとをＲＡＭ３に出力する。すなわち、ＲＡＭ３の第１記憶領域１１および第２記憶領域１２がそれぞれ同一ラインの画像データを第１逆変換回路４ａ、第２逆変換回路４ｂに出力する。
【００９１】
タイミイングコントローラ２１に、外部システムから画像供給開始信号が入力された後、最初にＶＳＹＮＣが入力されたということは、新たに１画面分のＲＧＢデータから変換回路２によって生成された各画素のＹ成分と４画素毎に共通化されたＵ成分およびＶ成分とが第１記憶領域１１または第２記憶領域１２に記憶されたことを意味する。従って、この場合、ＲＡＭ３は、タイミングコントローラ２１から第１記憶領域１１および第２記憶領域１２の同一ラインの画像データのアドレスを入力され、第１記憶領域１１から第１逆変換回路４ａにそのラインのＹ成分と共通化されたＵ成分およびＶ成分を出力する。同時に、第２記憶領域１２から第２逆変換回路４ｂにそのラインのＹ成分と共通化されたＵ成分およびＶ成分を出力する。
【００９２】
また、タイミングコントローラ２１は、外部システムから画像供給開始信号が入力された後の最初のＶＳＹＮＣ入力によって開始するフレーム以外のフレームでは、第１記憶領域１１と第２記憶領域１２のうち新たな画像のデータが記憶されている方の記憶領域のアドレスをライン切替信号とともにＲＡＭ３に出力する。この場合、ＲＡＭ３の第１記憶領域１１と第２記憶領域１２のいずれか一方が、対応する逆変換回路（第１逆変換回路４ａと第２逆変換回路４ｂのいずれか）に１ライン分の画像データを出力する。
【００９３】
外部システムから画像供給開始信号が入力された後の最初のＶＳＹＮＣ入力によって開始するフレーム以外のフレームでは、直前のフレーム以降ＲＡＭ３に新たな画像の書き込みはなされていない。この場合、第１記憶領域１１と第２記憶領域１２のうち新しい画像データを記憶している方の記憶領域が、対応する逆変換回路に、Ｙ成分と共通化されたＵ成分およびＶ成分とを出力する。
【００９４】
第１逆変換回路４ａは、１ライン分の画像データ（ＹＵＶデータ）が第１記憶領域１１から入力されると、画素毎にＹＵＶデータをＲＧＢデータに変換し、１ライン分の画像データ（ＲＧＢデータ）をオーバードライブ回路６に出力する。同様に、第２逆変換回路４ｂは、１ライン分の画像データ（ＹＵＶデータ）が第２記憶領域１２から入力されると、画素毎にＹＵＶデータをＲＧＢデータに変換し、１ライン分の画像データ（ＲＧＢデータ）をオーバードライブ回路６に出力する。
【００９５】
第１逆変換回路４ａおよび第２逆変換回路４ｂがＹＵＶデータをＲＧＢデータに変換する動作は、第１の実施の形態における逆変換回路４の動作と同様である。すなわち、第１逆変換回路４ａおよび第２逆変換回路４ｂはいずれも、共通化されたＵ成分およびＶ成分と各画素のＹ成分を用いて、式４から式６に従ってＲＧＢデータを算出する。
【００９６】
オーバードライブ回路６は、第１逆変換回路４ａと第２逆変換回路４ｂとからそれぞれＲＧＢデータが入力された場合、以下のように動作する。第１逆変換回路４ａから入力されたＲＧＢデータと、第２逆変換回路４ｂから入力されたＲＧＢデータのいずれか一方が現在のＲＧＢデータであり、他方は前のＲＧＢデータである。オーバードライブ回路６は、現在のＲＧＢデータと前のＲＧＢデータとを比較して、現在のＲＧＢデータの方が低輝度となっている場合には、その現在のＲＧＢデータをより低輝度になるように補正する。また、オーバードライブ回路６は、現在のＲＧＢデータと前のＲＧＢデータとを比較して、現在のＲＧＢデータのほうが高輝度となっている場合には、その現在のＲＧＢデータをより高輝度になるように補正する。オーバードライブ回路６は、補正後の現在のＲＧＢデータをソースドライバ５に出力する。
【００９７】
なお、オーバードライブ回路６は、現在のＲＧＢデータと前のＲＧＢデータとを比較し、現在のＲＧＢデータと前のＲＧＢデータとで等しい輝度を表している場合、現在のＲＧＢデータの補正を行わずに現在のＲＧＢデータをソースドライバ５に出力する。
【００９８】
オーバードライブ回路６は、現在のＲＧＢデータと前のＲＧＢデータとの比較および補正を、画素毎に行う。
【００９９】
外部システムから変換回路２に新たな１画面分の画像の画像データ（ＲＧＢデータ）がライン毎に入力され、変換回路２がＹＵＶデータへの変換と、Ｕ成分およびＶ成分の共通化とを行って、その１画面分の各画素のＹ成分と４画素毎に共通化したＵ成分およびＶ成分を第１記憶領域１１に記憶させたとする。そして、ＲＡＭ３が、タイミングコントローラ２１に従って、第１記憶領域１１から１ライン分のＹ成分と共通化されたＵ成分およびＶ成分を第１逆変換回路４ａに出力し、第２記憶領域１２から同じラインの１ライン分のＹ成分と共通化されたＵ成分およびＶ成分を第２逆変換回路４ｂに出力したとする。この場合、第１逆変換回路４ａと第２逆変換回路４ｂは、それぞれＹＵＶデータをＲＧＢデータに変換してオーバードライブ回路６に出力する。このとき、オーバードライブ回路６は、第１逆変換回路４ａが生成したＲＧＢデータ（第１逆変換回路４ａから入力されたＲＧＢデータ）を現在のＲＧＢデータとし、第２逆変換回路４ｂが生成したＲＧＢデータ（第２逆変換回路４ｂから入力されたＲＧＢデータ）を前のＲＧＢデータとして、上述の比較および補正を行う。
【０１００】
また、外部システムから変換回路２に新たな１画面分の画像の画像データ（ＲＧＢデータ）がライン毎に入力され、変換回路２がＹＵＶデータへの変換と、Ｕ成分およびＶ成分の共通化とを行って、その１画面分の各画素のＹ成分と４画素毎に共通化したＵ成分およびＶ成分を第２記憶領域１２に記憶させたとする。そして、ＲＡＭ３が、タイミングコントローラ２１に従って、第１記憶領域１１から１ライン分のＹ成分と共通化されたＵ成分およびＶ成分を第１逆変換回路４ａに出力し、第２記憶領域１２から同じラインの１ライン分のＹ成分と共通化されたＵ成分およびＶ成分を第２逆変換回路４ｂに出力したとする。この場合、第１逆変換回路４ａと第２逆変換回路４ｂは、それぞれＹＵＶデータをＲＧＢデータに変換してオーバードライブ回路６に出力する。このとき、オーバードライブ回路６は、第２逆変換回路４ｂが生成したＲＧＢデータ（第２逆変換回路４ｂから入力されたＲＧＢデータ）を現在のＲＧＢデータとし、第１逆変換回路４ａが生成したＲＧＢデータ（第１逆変換回路４ａから入力されたＲＧＢデータ）を前のＲＧＢデータとして、上述の比較および補正を行う。
【０１０１】
また、オーバードライブ回路６は、第１逆変換回路４ａと第２逆変換回路４ｂのいずれか一方だけからＲＧＢデータが入力された場合、そのＲＧＢデータをそのままソースドライバ５に出力する。
【０１０２】
タイミングコントローラ２１は、第１の実施の形態と同様に、選択期間毎にライン切替信号をＲＡＭ３、ゲートドライバ２２、ソースドライバ５に出力する。タイミングコントローラ２１がライン切替信号とともにアドレスをＲＡＭ３に出力する動作については、既に説明した通りである。
【０１０３】
次に、第２の実施の形態の動作について説明する。図６は、第２の実施の形態の動作の例を示す説明図である。図６に示す実線は、時間経過に伴う第１ラインから最終ラインまでの走査を示している。また、破線は、時間経過に伴って、第１画像の各ラインの画像データ（個々の画素のＹ成分と４画素毎に共通化されたＵ成分およびＶ成分）が第１記憶領域１１に書き込まれていく状況を示している。同様に、一点鎖線は、時間経過に伴って、第２画像の各ラインの画像データが第２記憶領域１２に書き込まれていく状況を示している。また、図６に示す時刻ｔ１’，ｔ２’，ｔ３’，ｔ４’，ｔ５’は、外部システムがＶＳＹＮＣを出力する時刻であり、図６に示す時刻ｔ１，ｔ２，ｔ３，ｔ４，ｔ５は、それぞれ時刻ｔ１’，ｔ２’，ｔ３’，ｔ４’，ｔ５’の一定時間（バックポーチ）後の時刻である。
【０１０４】
時刻ｔ１において、第１画像の前の１画面分の画像（第０画像とする。）の画像データが第２記憶領域１２に書き込まれていたとする。
【０１０５】
時刻ｔ１’に外部システムはタイミングコントローラ２１にＶＳＹＮＣを出力し、その一定時間後の時刻ｔ１に外部システムは第１画像の各ラインのＲＧＢデータをライン毎に変換回路２に出力する動作を開始する。また、時刻ｔ１に、外部システムはタイミングコントローラ２１に画像供給開始信号を出力する。
【０１０６】
変換回路２は、ライン毎に順次供給される第１画像のＲＧＢデータをＹＵＶデータに変換し、４画素毎にＵ成分およびＶ成分を共通化し、各ラインの各画素のＹ成分および４画素毎に共通化したＵ成分およびＶ成分を第１記憶領域１１に記憶させていく（図６に示す破線参照。）。
【０１０７】
また、時刻ｔ１’にタイミングコントローラ２１に入力されるＶＳＹＮＣは、画像供給開始信号が入力された後の最初のＶＳＹＮＣではないものとする。時刻ｔ１から第１記憶領域１１に第１画像の画像データが書き込まれているということは、時刻ｔ１の時点で新たな画像のデータを記憶していた記憶領域は第２記憶領域１２である。従って、タイミングコントローラ２１は、選択期間毎にＲＡＭ３に対して、ライン切替信号とともに第２記憶領域１２のアドレスを出力する。この結果、ＲＡＭ３はライン切替信号入力時に、第２記憶領域１２からＹＵＶデータを第２逆変換回路４ｂに出力し、第２逆変換回路４ｂはそのＹＵＶデータをＲＧＢデータに変換してオーバードライブ回路６に出力する。オーバードライブ回路６はそのＲＧＢデータをそのままソースドライバ５に出力する。この結果、液晶駆動装置１は、液晶表示パネル３１に第０画像を表示させる。
【０１０８】
時刻ｔ２’に、外部システムはＶＳＹＮＣをタイミングコントローラ２１に出力する。本例では時刻ｔ２’から一定時間後の時刻ｔ２において画像データの供給を続行中であるので、外部システムは、時刻ｔ２以降もそれまで行っていた画像データの供給を引き続き続行する。よって本例では、外部システムは、時刻ｔ２において変換回路２への画像データ供給を開始せず、また、画像供給開始信号の出力も行わない。図６に示す例では、時刻ｔ２において、時刻ｔ１から開始した画像データの供給を続行している場合を示しているが、画像データを供給するレートが速く、時刻ｔ１から開始した画像データの供給が時刻ｔ２において完了していてもよい。この場合、外部システムは、時刻ｔ２において、変換回路２への画像データ供給を開始し、また、画像供給開始信号を出力する。
【０１０９】
時刻ｔ２’にタイミングコントローラ２１に入力されるＶＳＹＮＣは、時刻ｔ１に画像供給開始信号が入力された後の最初のＶＳＹＮＣである。従って、タイミングコントローラ２１は、選択期間毎にＲＡＭ３に対して、ライン切替信号とともに第１記憶領域１１のアドレスおよび第２記憶領域１２のアドレスを出力する。この結果、ＲＡＭ３はライン切替信号入力時に、第１記憶領域１１からＹＵＶデータを第１逆変換回路４ａに出力し、第２記憶領域１２からＹＵＶデータを第２逆変換回路４ｂに出力する。そして、第１逆変換回路４ａおよび第２逆変換回路４ｂは、それぞれＹＵＶデータをＲＧＢデータに変換してオーバードライブ回路６に出力する。
【０１１０】
オーバードライブ回路６は、第１逆変換回路４ａおよび第２逆変換回路４ｂからそれぞれＲＧＢデータが入力されるので画素毎にＲＧＢデータの比較を行う。この場合、オーバードライブ回路６は、第１逆変換回路４ａが生成したＲＧＢデータを現在のＲＧＢデータとし、第２逆変換回路４ｂが生成したＲＧＢデータを前のＲＧＢデータとして比較を行う。そして、現在のＲＧＢデータの方が低輝度であればその現在のＲＧＢデータをより低輝度になるように補正し、現在のＲＧＢデータの方が高輝度であればその現在のＲＧＢデータをより高輝度になるように補正して、ソースドライバ５に出力する。このように時刻ｔ２から始まる走査ではオーバードライブが行われる。
【０１１１】
時刻ｔ３’に外部システムはタイミングコントローラ２１にＶＳＹＮＣを出力し、その一定時間後の時刻ｔ３に外部システムは第２画像の各ラインのＲＧＢデータをライン毎に変換回路２に出力する動作を開始する。また、時刻ｔ３に、外部システムはタイミングコントローラ２１に画像供給開始信号を出力する。
【０１１２】
変換回路２は、ライン毎に順次供給される第２画像のＲＧＢデータをＹＵＶデータに変換し、４画素毎にＵ成分およびＶ成分を共通化し、各ラインの各画素のＹ成分および４画素毎に共通化したＵ成分およびＶ成分を第２記憶領域１２に記憶させていく（図６に示す一点鎖線参照。）
【０１１３】
また、時刻ｔ３’にタイミングコントローラ２１に入力されるＶＳＹＮＣは、時刻ｔ１に画像供給開始信号が入力された後の最初のＶＳＹＮＣではない。そして、時刻ｔ３の時点で新たな画像のデータを記憶していた記憶領域は第１記憶領域１１である。従って、タイミングコントローラ２１は、選択期間毎にＲＡＭ３に対して、ライン切替信号とともに第１記憶領域１１のアドレスを出力する。この結果、ＲＡＭ３はライン切替信号入力時に、第１記憶領域１１からＹＵＶデータを第１逆変換回路４ａに出力し、第１逆変換回路４ａはそのＹＵＶデータをＲＧＢデータに変換してオーバードライブ回路６に出力する。オーバードライブ回路６はそのＲＧＢデータをそのままソースドライバ５に出力する。この結果、液晶駆動装置１は、液晶表示パネル３１に第１画像を表示させる。
【０１１４】
時刻ｔ４’に、外部システムはＶＳＹＮＣをタイミングコントローラ２１に出力する。本例では時刻ｔ４’から一定時間後の時刻ｔ４において画像データの供給を続行中であるので、外部システムは、時刻ｔ４以降もそれまで行っていた画像データの供給を引き続き続行する。よって本例では、外部システムは、時刻ｔ４において変換回路２への画像データ供給を開始せず、また、画像供給開始信号の出力も行わない。図６に示す例では、時刻ｔ４において、時刻ｔ３から開始した画像データの供給を続行している場合を示しているが、画像データを供給するレートが速く、時刻ｔ３から開始した画像データの供給が時刻ｔ４において完了していてもよい。この場合、外部システムは、時刻ｔ４において、変換回路２への画像データ供給を開始し、また、画像供給開始信号を出力する。
【０１１５】
時刻ｔ４’にタイミングコントローラ２１に入力されるＶＳＹＮＣは、時刻ｔ３に画像供給開始信号が入力された後の最初のＶＳＹＮＣである。従って、タイミングコントローラ２１は、選択期間毎にＲＡＭ３に対して、ライン切替信号とともに第１記憶領域１１のアドレスおよび第２記憶領域１２のアドレスを出力する。この結果、ＲＡＭ３はライン切替信号入力時に、第１記憶領域１１からＹＵＶデータを第１逆変換回路４ａに出力し、第２記憶領域１２からＹＵＶデータを第２逆変換回路４ｂに出力する。そして、第１逆変換回路４ａおよび第２逆変換回路４ｂは、それぞれＹＵＶデータをＲＧＢデータに変換してオーバードライブ回路６に出力する。
【０１１６】
オーバードライブ回路６は、第１逆変換回路４ａおよび第２逆変換回路４ｂからそれぞれＲＧＢデータが入力されるので画素毎にＲＧＢデータの比較を行う。この場合、オーバードライブ回路６は、第２逆変換回路４ｂが生成したＲＧＢデータを現在のＲＧＢデータとし、第１逆変換回路４ａが生成したＲＧＢデータを前のＲＧＢデータとして比較を行う。そして、現在のＲＧＢデータの方が低輝度であればその現在のＲＧＢデータをより低輝度になるように補正し、現在のＲＧＢデータの方が高輝度であればその現在のＲＧＢデータをより高輝度になるように補正して、ソースドライバ５に出力する。このように時刻ｔ４から始まる走査ではオーバードライブが行われる。
【０１１７】
以降、同様の動作を繰り返す。
【０１１８】
次に、本実施の形態の効果について説明する。第１の実施の形態と同様に、変換回路２は、複数ｍ画素毎に（例えば４画素毎に）Ｕ成分およびＶ成分を共通化して第１記憶領域１１や第２記憶領域１２に記憶させる。従って、第１記憶領域１１および第２記憶領域１２はそれぞれ１画面に対応するＹＵＶデータを記憶するが、１記憶領域１１および第２記憶領域１２の記憶容量は、それぞれ１画面の全画素のＲ成分、Ｇ成分、Ｂ成分を記憶する記憶容量よりも少なくて済む。例えば、変換回路２が４画素毎にＵ成分およびＶ成分を共通化するときには、１記憶領域１１および第２記憶領域１２の記憶容量を、それぞれ１画面の全画素のＲ成分、Ｇ成分、Ｂ成分を記憶する場合の記憶容量の１／２とすることができる。よって、変換回路２が４画素毎にＵ成分およびＶ成分を共通化する場合、ＲＡＭ３は、１画面の全画素のＲ成分、Ｇ成分、Ｂ成分を記憶する記憶容量を有していればよい。従来、図９を参照して説明したように、オーバードライブを行う場合には、少なくとも１．５画面分の記憶容量を有するＲＡＭを設けなければならなかったが、本実施の形態では１画面分の記憶容量を有するＲＡＭを用いてオーバードライブを実現できる。その結果、液晶駆動装置１の大きさを抑えることができる。
【０１１９】
第２の実施の形態においても、画素のＵ成分の平均値を共通化したＵ成分とし、４画素のＶ成分の平均値を共通化したＶ成分としてもよい。
【０１２０】
第１の実施の形態で説明したように、２行２列に配置される４つの画素毎にＵ成分およびＶ成分の平均値を算出する場合、その４つの画素の画像データが同時に外部システムから供給されるわけではない。従って、２行２列に配置される４つの画素毎にＵ成分およびＶ成分の平均値を算出する場合、図７に示すように、液晶駆動装置１がラインバッファ７を備える構成とする。外部システムはラインバッファ７に１行分のＲＧＢデータを書き込む。図７に示す構成の場合、変換回路２は、ラインバッファ７のデータが２行２列の１行目の画素を含む１ライン分のＲＧＢデータから、２行２列の２行目の画素を含む１ライン分のＲＧＢデータに書き換えられる前に、書き換え前の１行分のＲＧＢデータを読み込み、さらに２行２列の２行目の画素を含む１ライン分のＲＧＢデータに書き換えられた後に書き換え後の１ライン分のＲＧＢデータを読み込む。そして、書き換え前および書き換え後のＲＧＢデータをＹＵＶデータに変換して、２行２列に配置された４画素毎にＵ成分およびＶ成分の平均値を算出すればよい。
【０１２１】
あるいは、変換回路２の後段にラインバッファが設けられていてもよい。そして、変換回路２は、２行２列の１行目の画素を含む１ライン分のＲＧＢデータが供給されると、そのＲＧＢデータをＹＵＶデータに変換し、各画素のＵ成分およびＶ成分をラインバッファに記憶させてもよい。そして、変換回路２は、２行２列の２行目の画素を含む１ライン分のＲＧＢデータが供給されると、そのＲＧＢデータをＹＵＶデータに変換し、ラインバッファに記憶させた前のラインのＵ成分およびＶ成分を読み込んで、２行２列に配置された４画素毎のＵ成分およびＶ成分の平均値をそれぞれ算出してもよい。
【０１２２】
第２の実施の形態において、記憶手段は、ＲＡＭ３によって実現される。変換手段は、変換回路２によって実現される。逆変換手段は、第１逆変換回路４ａおよび第２逆変換回路４ｂによって実現される。オーバードライブ手段は、オーバードライブ回路６によって実現される。
【０１２３】
また、第２の実施の形態では、ＶＳＹＮＣインタフェースを例に説明したが、液晶駆動装置が外部システムにシンク信号を出力してから一定時間後に外部システムが１画面分のＲＧＢデータの供給を開始し、液晶駆動装置がフレーム期間毎に各ラインの走査を開始してもよい。例えば、タイミングコントローラ２１が、図６に示す時刻ｔ１，ｔ２，ｔ３，ｔ４，・・・に液晶表示パネル３１の走査を開始し、時刻ｔ１’，ｔ３’等において、タイミングコントローラ２１が外部システムにシンク信号を出力してもよい。この場合であっても、液晶駆動装置１は、図６を参照して説明した動作と同様にＲＡＭ３へのデータの書き込みや画像の表示を行う。
【０１２４】
また、上記の各実施の形態では、変換回路２が４画素分のＹＵＶデータ毎にＵ成分およびＶ成分を共通化する場合を例にして説明したが、変換回路２によってＵ成分およびＶ成分が共通化される画素の組に属する画素数は、４に限定されない。変換回路２によってＵ成分およびＶ成分が共通化される画素の組に属する画素数は、２以上であればよい。なお、Ｕ成分およびＶ成分が共通化される画素の組に属する画素数を大きくしすぎると画質が低下するので、Ｕ成分およびＶ成分が共通化される画素の組に属する画素数は２〜１６とすることが好ましい。また、Ｕ成分およびＶ成分が共通化される画素の組に属する画素数を小さくしすぎると、メモリの記憶容量を少なくするという効果が薄くなるので、Ｕ成分およびＶ成分が共通化される画素の組に属する画素数を４とすることが特に好ましい。すなわち、４画素分のＹＵＶデータ毎にＵ成分およびＶ成分を共通化することが特に好ましい。
【産業上の利用可能性】
【０１２５】
本発明は、液晶表示パネルを駆動する液晶駆動装置として好適に適用される。
【図面の簡単な説明】
【０１２６】
【図１】本発明の液晶駆動装置の第１の実施の形態を示す説明図。
【図２】４画素分のＹＵＶデータのＵ成分およびＶ成分を共通化する例を示す説明図。
【図３】４画素分のＹＵＶデータのＵ成分およびＶ成分を共通化する他の例を示す説明図。
【図４】Ｕ成分およびＶ成分の平均値を算出する場合の構成例を示す説明図。
【図５】本発明の液晶駆動装置の第２の実施の形態を示す説明図。
【図６】第２の実施の形態の動作の例を示す説明図。
【図７】Ｕ成分およびＶ成分の平均値を算出する場合の構成例を示す説明図。
【図８】ＶＳＹＮＣインタフェースにおけるＲＡＭへの画像データの書き込みおよび液晶表示パネルの走査の例を示す説明図。
【図９】オーバードライブのための比較が終了した前の画像データに現在の画像データを書き込む例を示す説明図。
【符号の説明】
【０１２７】
１  液晶駆動装置
２  変換回路
３  ＲＡＭ
４  逆変換回路
５  ソースドライバ
６  オーバードライブ回路
７  ラインバッファ
１１  第１記憶領域
１２  第２記憶領域
２１  タイミングコントローラ
２２  ソースドライバ
【図１】
2008076990.tif 000003
【図２】
2008076990.tif 000004
【図３】
2008076990.tif 000005
【図４】
2008076990.tif 000006
【図５】
2008076990.tif 000007
【図６】
2008076990.tif 000008
【図７】
2008076990.tif 000009
【図８】
2008076990.tif 000010
【図９】
2008076990.tif 000011